【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
情報デバイスを利用して、１つ以上のデータアイテムを、該１つ以上のデータアイテムの位置を表すアクセス識別子に依存して、遠隔保持領域からローカルデバイスに転送する方法であって、該情報デバイスにおいて、該アクセス識別子の音声／映像表現を提示するステップと、該ローカルデバイスにおいて該音声／映像表現を取り込むステップと、該取り込まれた音声／映像表現から該１つ以上のデータアイテムの位置を決定するステップと、該１つ以上のデータアイテムを該決定された位置から該ローカルデバイスに転送するステップとを包含する、方法。
【請求項２】
前記音声／映像表現はグラフィック表現を含む、請求項１に記載の方法。
【請求項３】
前記情報デバイスにおいて、アクセス識別子の音声／映像表現を提示するステップは、前記グラフィック表現を該デバイスのディスプレイ上に表示するステップを含む、請求項２に記載の方法。
【請求項４】
前記グラフィック表現は、人間の眼にとって可視である、請求項２に記載の方法。
【請求項５】
前記グラフィック表現は色を含む、請求項２に記載の方法。
【請求項６】
前記グラフィック表現はバーコード表現を含む、請求項２に記載の方法。
【請求項７】
前記グラフィック表現は二次元バーコード表現を含む、請求項６に記載の方法。
【請求項８】
前記二次元バーコード表現は、クイックレスポンスコード表現である、請求項７に記載の方法。
【請求項９】
前記二次元バーコード表現は、ヒューコード表現である、請求項７に記載の方法。
【請求項１０】
前記ローカルデバイスにおいて音声／映像表現を取り込むステップは、バーコードスキャナを用いて前記バーコード表現をスキャンするステップを含む、請求項６に記載の方法。
【請求項１１】
前記音声／映像表現はテキスト表現を含む、請求項２に記載の方法。
【請求項１２】
前記位置を決定するステップは、光学式文字認識アルゴリズムを用いて、前記テキスト表現をデコードするステップを含む、請求項１１に記載の方法。
【請求項１３】
前記音声／映像表現はグラフィック表現のシーケンスを含む、請求項２に記載の方法。
【請求項１４】
前記シーケンス内の前記グラフィック表現は所定の間隔で提示される、請求項１３に記載の方法。
【請求項１５】
前記シーケンス内の連続するグラフィック表現の間の間隔は、前記アクセス識別子についてのさらなる情報をエンコードするために、該シーケンスを通じて変動する、請求項１３に記載の方法。
【請求項１６】
前記シーケンスにおける各グラフィック表現が均一の色である、請求項１３に記載の方法。
【請求項１７】
前記音声／映像表現は音声シーケンスを含む、請求項１に記載の方法。
【請求項１８】
前記音声シーケンスは、トーン、和音、パルス、またはクリックのシーケンスを含む、請求項１７に記載の方法。
【請求項１９】
前記取り込むステップと、決定するステップと、転送するステップのうちの少なくとも２つが、互いに通信する別個のデバイスによって行われ、別個のデバイスがともに前記ローカルデバイスを形成する、請求項１に記載の方法。
【請求項２０】
前記保持領域は遠隔サーバに位置する、請求項１に記載の方法。
【請求項２１】
前記１つ以上のデータアイテムが初期的に遠隔サーバの保護領域に格納され、前記遠隔保持領域は該遠隔サーバの保護領域の外側に位置する、方法であって、
前記情報デバイスと該遠隔サーバの保護領域との間に信頼できる接続を形成するステップと、
該情報デバイスおよび該信頼できる接続を利用して、該遠隔サーバの保護領域に格納されている１つ以上のデータアイテムの第１のグループを選択するステップと、
該第１のグループのデータアイテムを、該保護領域から該保持領域に転送し、前記アクセス識別子を該第１のグループのデータアイテムと関連付けるステップと、
該アクセス識別子に依存して、前記ローカルデバイスと該保持領域との間に取り出し接続を形成するステップと、
１つ以上のデータアイテムの第２のグループを、該保持領域に転送された該第１のグループのデータアイテムから決定するステップと、
該第２のグループのデータアイテムを、該取り出し接続を介して、該保持領域から該ローカルデバイスに転送するステップと
を包含する、請求項１に記載の方法。
【請求項２２】
前記アクセス識別子は、前記保持領域の位置を表す位置識別子を含む、請求項１に記載の方法。
【請求項２３】
前記位置識別子自体が、前記保持領域の位置を識別するために十分な情報を含む、請求項２２に記載の方法。
【請求項２４】
前記位置識別子に依存して、前記保持領域の位置を参照するステップをさらに包含する、請求項２２に記載の方法。
【請求項２５】
前記アクセス識別子は、保持サーバの位置を識別することなく、前記保持領域内の１つ以上のデータアイテムを識別するグループ識別子を含む、請求項１に記載の方法。
【請求項２６】
前記１つ以上のデータアイテムが初期的に遠隔サーバの保護領域に格納され、前記遠隔保持領域は該遠隔サーバの保護領域の外側に位置する、方法であって、
前記情報デバイスと該遠隔サーバの保護領域との間に信頼できる接続を形成するステップと、
該情報デバイスおよび該信頼できる接続を利用して、該遠隔サーバの保護領域に格納されている１つ以上のデータアイテムの第１のグループを選択するステップと、
該第１のグループのデータアイテムを、該保護領域から該保持領域に転送し、前記アクセス識別子を該第１のグループのデータアイテムと関連付けるステップと、
該アクセス識別子に依存して、前記ローカルデバイスと該保持領域との間に取り出し接続を形成するステップと、
１つ以上のデータアイテムの第２のグループを、該保持領域に転送された該第１のグループのデータアイテムから決定するステップであって、該第２のグループのデータアイテムは、該保持領域に転送された該第１のグループのデータアイテムを識別するグループ識別子に依存して決定される、ステップと、
該第２のグループのデータアイテムを、該取り出し接続を介して、該保持領域から該ローカルデバイスに転送するステップと
を包含する、請求項１に記載の方法。
【請求項２７】
前記第２のグループのデータアイテムは、前記第１のグループのデータアイテムと同じになるように決定される、請求項２６に記載の方法。
【請求項２８】
前記ローカルデバイスは、一般的なインターネットブラウジング能力を用いて、前記保持領域内のデータアイテムにアクセスする、請求項１に記載の方法。
【請求項２９】
データアイテムを前記ローカルデバイスに転送する前に処理するステップをさらに包含する、請求項１に記載の方法。
【請求項３０】
行われる前記処理するステップは前記ローカルデバイスのタイプに依存する、請求項２９に記載の方法。
【請求項３１】
行われる前記処理するステップは前記ローカルデバイスの位置に依存する、請求項２９に記載の方法。
【請求項３２】
前記ローカルデバイスは出力デバイスを含む、請求項１に記載の方法。
【請求項３３】
前記ローカルデバイスがプリンタを含む方法であって、該プリンタ上で、前記ローカルデバイスに転送された前記少なくとも１つのデータアイテムの一部または全てを印刷するステップをさらに包含する、請求項３２に記載の方法。
【請求項３４】
前記ローカルデバイスがディスプレイを含む方法であって、該ディスプレイ上で、前記ローカルデバイスに転送された前記少なくとも１つのデータアイテムの一部または全てを表示するステップをさらに包含する、請求項３２に記載の方法。
【請求項３５】
前記少なくとも１つのデータアイテムは電子メールアイテムである、請求項１に記載の方法。
【請求項３６】
前記少なくとも１つのデータアイテムはドキュメントである、請求項１に記載の方法。
【請求項３７】
前記ローカルデバイスがプリンタを含む方法であって、該プリンタ上で前記電子メールアイテムを印刷するステップをさらに包含する、請求項３５に記載の方法。
【請求項３８】
前記情報デバイスはモバイル情報デバイスである、請求項１に記載の方法。
【請求項３９】
前記情報デバイスは個人用情報端末である、請求項３８に記載の方法。
【請求項４０】
前記情報デバイスは携帯電話である、請求項１に記載の方法。
【請求項４１】
前記情報デバイスから加入者アイデンティティモジュール番号または他のオペレータ識別子をリクエストすることによって該情報デバイスを認証するステップをさらに包含する、請求項１に記載の方法。
【請求項４２】
前記情報デバイスはラップトップコンピュータである、請求項３８に記載の方法。
【請求項４３】
前記情報デバイスはデジタルＴＶである、請求項１に記載の方法。
【請求項４４】
前記情報デバイスはパーソナルコンピュータである、請求項１に記載の方法。
【請求項４５】
前記ローカルデバイスはモバイル情報デバイスである、請求項１に記載の方法。
【請求項４６】
前記ローカルデバイスは、一般の人々によってアクセス可能なパブリック器具である、請求項１に記載の方法。
【請求項４７】
前記アクセス識別子はユニフォームリソースロケータを含む、請求項１に記載の方法。
【請求項４８】
前記情報デバイスは、ローカルデバイスの近傍にある、請求項１に記載の方法。
【請求項４９】
前記ローカルデバイスにおいて受け取られた前記１つ以上のデータアイテムを別個のデバイスに転送するステップをさらに包含する、請求項１に記載の方法。
【請求項５０】
前記別個のデバイスは前記情報デバイスである、請求項４９に記載の方法。
【請求項５１】
前記ローカルデバイスは、前記別個のデバイスへのデータアイテムの高速取り出しのためのアクセスポイントとして用いられる、請求項４９に記載の方法。
【請求項５２】
前記１つ以上のデータアイテムを転送する前に前記情報デバイスを認証するステップをさらに包含する、請求項１に記載の方法。
【請求項５３】
前記アクセス識別子は、前記情報デバイスの認証を行うために必要な認証情報を含む、請求項５２に記載の方法。
【請求項５４】
遠隔取り出しシステムであって、
データアイテムを格納する遠隔保持領域と、
該遠隔保持領域と通信するローカルデバイスと、
該遠隔保持領域から該ローカルデバイスに転送される１つ以上のデータアイテムの位置を表す音声／映像表現を提示する音声／映像提示手段を含む情報デバイスと
を備え、
該ローカルデバイスが、該情報デバイスにおいて提示される該音声／映像表現を取り込む音声／映像取り込み手段と、該取り込まれた音声／映像表現から該１つ以上のデータアイテムの位置を決定する位置決定手段と、該１つ以上のデータアイテムを該決定された位置から該ローカルデバイスに転送する転送手段とを含む、遠隔取り出しシステム。
【請求項５５】
遠隔取り出しシステムにおいて用いられるローカルデバイスであって、
該遠隔取り出しシステムは、該ローカルデバイスと通信する、データアイテムを格納する遠隔保持領域と、該遠隔保持領域から該ローカルデバイスに転送される１つ以上のデータアイテムの位置を表す音声／映像表現を提示する音声／映像提示手段を含む情報デバイスとを含み、
該ローカルデバイスは、該情報デバイスにおいて提示される該音声／映像表現を取り込む音声／映像取り込み手段と、該取り込まれた音声／映像表現から該１つ以上のデータアイテムの位置を決定する位置決定手段と、該１つ以上のデータアイテムを該決定された位置から該ローカルデバイスに転送する転送手段とを含む、ローカルデバイス。
【請求項５６】
情報デバイスを利用して、１つ以上のデータアイテムを、該１つ以上のデータアイテムのあて先の位置を表すアクセス識別子に依存して、ローカルデバイスから遠隔保持領域に転送する方法であって、
該アクセス識別子の音声／映像表現を提示するステップと、
該ローカルデバイスにおいて該音声／映像表現を取り込むステップと、
該取り込まれた音声／映像表現から１つ以上のデータアイテムのあて先位置を決定するステップと、
該１つ以上のデータアイテムを該遠隔保持領域における該決定された位置に転送するステップとを包含する、方法。
【請求項５７】
前記ローカルデバイスは入力デバイスを含む、請求項５６に記載の方法。
【請求項５８】
前記ローカルデバイスはスキャナを含む、請求項５７に記載の方法。
【請求項５９】
前記ローカルデバイスはコピー機を含む、請求項５７に記載の方法。
【請求項６０】
遠隔転送システムであって、
データアイテムを格納する遠隔保持領域と、
該遠隔保持領域と通信するローカルデバイスと、
該ローカルデバイスから該遠隔保持領域に転送される１つ以上のデータアイテムのあて先位置を表す音声／映像表現を提示する音声／映像提示手段を含む情報デバイスと
を備え、
該ローカルデバイスが、該情報デバイスにおいて提示される該音声／映像表現を取り込む音声／映像取り込み手段と、該取り込まれた音声／映像表現から該１つ以上のデータアイテムのあて先位置を決定する位置決定手段と、該１つ以上のデータアイテムを該遠隔保持領域の該決定された位置に転送する転送手段とを含む、遠隔取り出しシステム。
【請求項６１】
遠隔転送システムにおいて用いられるローカルデバイスであって、
該遠隔転送システムは、該ローカルデバイスと通信する、データアイテムを格納する遠隔保持領域と、該遠隔保持領域から該ローカルデバイスに転送される１つ以上のデータアイテムのあて先位置を表す音声／映像表現を提示する音声／映像提示手段を含む情報デバイスとを含み、
該ローカルデバイスは、該情報デバイスにおいて提示される該音声／映像表現を取り込む音声／映像取り込み手段と、該取り込まれた音声／映像表現から該１つ以上のデータアイテムのあて先位置を決定する位置決定手段と、該１つ以上のデータアイテムを該遠隔保持領域の該決定された位置に転送する転送手段とを含む、ローカルデバイス。
【請求項６２】
ローカルデバイスにロードされる場合、該デバイスを請求項６１に記載のデバイスにする、オペレーティングプログラム。
【請求項６３】
キャリア媒体に収容される、請求項６２に記載のオペレーティングプログラム。
【請求項６４】
前記キャリア媒体は転送媒体である、請求項６３に記載のオペレーティングプログラム。
【請求項６５】
前記キャリア媒体は格納媒体である、請求項６３に記載のオペレーティングプログラム。